【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
現像装置であって、
回転可能に設けられ、トナーとキャリアを含む現像剤を担持して像担持体と対向する現像領域に前記現像剤を搬送する現像剤担持体と、
前記現像剤担持体の内部に固定して配置され、第一磁極と、前記現像剤担持体の回転方向に関して前記第一磁極よりも下流側であって前記第一磁極と隣り合うように配置され、前記第一磁極と同極である第二磁極と、を有し、前記現像領域を通過した前記現像剤を前記現像剤担持体の表面から剥離させるための磁界を発生するマグネットと、
前記現像剤担持体に前記現像剤を供給する第一室と、
前記現像領域を通過した前記現像剤を前記現像剤担持体から回収する第二室と、
前記現像剤を前記第二室から前記第一室に連通することを許容する第一連通部と、
前記現像剤を前記第一室から前記第二室に連通することを許容する第二連通部と、
前記第一室に配置され、前記現像剤を前記第一連通部から前記第二連通部に向かう第一方向に搬送する第一搬送スクリューと、
前記第二室に配置され、前記現像剤を前記第二連通部から前記第一連通部に向かう第二方向に搬送する第二搬送スクリューと、
前記第一室と前記第二室とを仕切るための隔壁部と、
前記現像剤を補給するための現像剤補給部と、
前記現像剤補給部により前記現像剤が補給されることに伴って前記現像剤の一部を排出するための現像剤排出部と、
を備え、
前記現像装置が前記像担持体に形成された静電潜像を現像するとき、前記第一搬送スクリューは、前記現像剤担持体の下方に配置されており、且つ、前記第二室の底部は、前記第一室の底部よりも上方に配置されており、
前記隔壁部は、前記現像剤担持体の近傍まで延伸して設けられ、且つ、前記隔壁部が前記現像剤担持体に最も近接する位置は、前記現像剤担持体の回転方向に関して前記第一磁極の磁束密度が極大となる位置よりも下流側、且つ、前記第二磁極の磁束密度が極大となる位置よりも上流側に在り、
前記第二搬送スクリューは、前記第一連通部に対向している第一スクリュー部と、前記第二方向に関して前記第一スクリュー部よりも下流側に配置された第二スクリュー部と、前記第二方向に関して前記第一スクリュー部よりも下流側且つ前記第二スクリュー部よりも上流側に配置された、前記第一連通部に対向している第三スクリュー部と、を有し、
前記現像剤排出部は、前記第二方向に関して前記第二スクリュー部よりも下流側に配置されており、
前記第一スクリュー部には、前記第二搬送スクリューの回転軸の外周に螺旋状に形成された、前記第二室の前記現像剤を前記第二方向に搬送するための第一羽根部が設けられており、
前記第二スクリュー部には、前記第二搬送スクリューの回転軸の外周に螺旋状に形成された、前記第二室の前記現像剤を前記第一方向に搬送し、且つ前記第二室の前記現像剤を前記第一連通部に受け渡すための第二羽根部が設けられており、
前記第三スクリュー部には、前記第二搬送スクリューの回転軸の外周に螺旋状に形成された羽根部が設けられていない領域が在る、
ことを特徴とする現像装置。
【請求項２】
前記隔壁部は、前記現像領域を通過した前記現像剤が前記現像剤担持体から前記第一室を経由することなく前記第二室に回収することが可能となるように設けられている、
ことを特徴とする請求項１に記載の現像装置。
【請求項３】
前記第一羽根部の条数は、多条である、
ことを特徴とする請求項１又は２に記載の現像装置。
【請求項４】
前記第二搬送スクリューは、前記第二方向に関して前記第一スクリュー部よりも上流側に配置された第四スクリュー部を更に有し、
前記第四スクリュー部には、前記第二搬送スクリューの回転軸の外周に螺旋状に形成された、前記第二室の前記現像剤を前記第二方向に搬送するための第四羽根部が設けられており、
前記第一羽根部の条数は、前記第四羽根部の条数よりも多い、
ことを特徴とする請求項１乃至３のいずれか１項に記載の現像装置。
【請求項５】
前記第四スクリュー部の前記現像剤担持体の現像剤搬送能力の在る領域に対向している領域における前記第四羽根部の条数は、１条である、
ことを特徴とする請求項４に記載の現像装置。
【請求項６】
前記第一連通部は、前記第二方向に関して前記現像剤担持体の現像剤搬送能力の在る領域よりも下流側に配置されている、
ことを特徴とする請求項１乃至５のいずれか１項に記載の現像装置。
【請求項７】
現像装置であって、
回転可能に設けられ、トナーとキャリアを含む現像剤を担持して像担持体と対向する現像領域に前記現像剤を搬送する現像剤担持体と、
前記現像剤担持体に前記現像剤を供給する第一室と、
前記現像領域を通過した前記現像剤を前記現像剤担持体から回収する第二室と、
前記現像剤を前記第二室から前記第一室に連通することを許容する第一連通部と、
前記現像剤を前記第一室から前記第二室に連通することを許容する第二連通部と、
前記第一室に配置され、前記現像剤を前記第一連通部から前記第二連通部に向かう第一方向に搬送する第一搬送スクリューと、
前記第二室に配置され、前記現像剤を前記第二連通部から前記第一連通部に向かう第二方向に搬送する第二搬送スクリューと、
前記第一室と前記第二室とを仕切るための隔壁部と、
前記現像剤を補給するための現像剤補給部と、
前記現像剤補給部により前記現像剤が補給されることに伴って前記現像剤の一部を排出するための現像剤排出部と、
を備え、
前記現像装置が前記像担持体に形成された静電潜像を現像するとき、前記第一搬送スクリューは、前記現像剤担持体の下方に配置されており、且つ、前記第二室の底部は、前記第一室の底部よりも上方に配置されており、
前記隔壁部は、前記現像領域を通過した前記現像剤が前記現像剤担持体から前記第一室を経由することなく前記第二室に回収することが可能となるように設けられており、
前記第二搬送スクリューは、前記第一連通部に対向している第一スクリュー部と、前記第二方向に関して前記第一スクリュー部よりも下流側に配置された第二スクリュー部と、前記第二方向に関して前記第一スクリュー部よりも下流側且つ前記第二スクリュー部よりも上流側に配置された、前記第二方向に関して前記第一連通部に対向している第三スクリュー部と、を有し、
前記現像剤排出部は、前記第二方向に関して前記第二スクリュー部よりも下流側に配置されており、
前記第一スクリュー部には、前記第二搬送スクリューの回転軸の外周に螺旋状に形成された、前記第二室の前記現像剤を前記第二方向に搬送するための第一羽根部が設けられており、
前記第二スクリュー部には、前記第二搬送スクリューの回転軸の外周に螺旋状に形成された、前記第二室の前記現像剤を前記第一方向に搬送し、且つ前記第二室の前記現像剤を前記第二連通部に受け渡すための第二羽根部が設けられており、
前記第三スクリュー部には、前記第二搬送スクリューの回転軸の外周に螺旋状に形成された羽根部が設けられていない領域が在る、
ことを特徴とする現像装置。
【請求項８】
前記第一羽根部の条数は、多条である、
ことを特徴とする請求項７に記載の現像装置。
【請求項９】
前記第二搬送スクリューは、前記第二方向に関して前記第一スクリュー部よりも上流側に配置された第四スクリュー部を更に有し、
前記第四スクリュー部には、前記第二搬送スクリューの回転軸の外周に螺旋状に形成された、前記第二室の前記現像剤を前記第二方向に搬送するための第四羽根部が設けられており、
前記第一羽根部の条数は、前記第四羽根部の条数よりも多い、
ことを特徴とする請求項７又は８に記載の現像装置。
【請求項１０】
前記第四スクリュー部の前記現像剤担持体の現像剤搬送能力の在る領域に対向している領域における前記第四羽根部の条数は、１条である、
ことを特徴とする請求項９の現像装置。
【請求項１１】
前記第一連通部は、前記第二方向に関して前記現像剤担持体の現像剤搬送能力の在る領域よりも下流側に配置されている、
ことを特徴とする請求項７乃至１０のいずれか１項に記載の現像装置。
【手続補正２】
【補正対象書類名】明細書
【補正対象項目名】０００８
【補正方法】変更
【補正の内容】
【０００８】
本発明は、現像装置であって、回転可能に設けられ、トナーとキャリアを含む現像剤を担持して像担持体と対向する現像領域に前記現像剤を搬送する現像剤担持体と、前記現像剤担持体の内部に固定して配置され、第一磁極と、前記現像剤担持体の回転方向に関して前記第一磁極よりも下流側であって前記第一磁極と隣り合うように配置され、前記第一磁極と同極である第二磁極と、を有し、前記現像領域を通過した前記現像剤を前記現像剤担持体の表面から剥離させるための磁界を発生するマグネットと、前記現像剤担持体に前記現像剤を供給する第一室と、前記現像領域を通過した前記現像剤を前記現像剤担持体から回収する第二室と、前記現像剤を前記第二室から前記第一室に連通することを許容する第一連通部と、前記現像剤を前記第一室から前記第二室に連通することを許容する第二連通部と、前記第一室に配置され、前記現像剤を前記第一連通部から前記第二連通部に向かう第一方向に搬送する第一搬送スクリューと、前記第二室に配置され、前記現像剤を前記第二連通部から前記第一連通部に向かう第二方向に搬送する第二搬送スクリューと、前記第一室と前記第二室とを仕切るための隔壁部と、前記現像剤を補給するための現像剤補給部と、前記現像剤補給部により前記現像剤が補給されることに伴って前記現像剤の一部を排出するための現像剤排出部と、を備え、前記現像装置が前記像担持体に形成された静電潜像を現像するとき、前記第一搬送スクリューは、前記現像剤担持体の下方に配置されており、且つ、前記第二室の底部は、前記第一室の底部よりも上方に配置されており、前記隔壁部は、前記現像剤担持体の近傍まで延伸して設けられ、且つ、前記隔壁部が前記現像剤担持体に最も近接する位置は、前記現像剤担持体の回転方向に関して前記第一磁極の磁束密度が極大となる位置よりも下流側、且つ、前記第二磁極の磁束密度が極大となる位置よりも上流側に在り、前記第二搬送スクリューは、前記第一連通部に対向している第一スクリュー部と、前記第二方向に関して前記第一スクリュー部よりも下流側に配置された第二スクリュー部と、前記第二方向に関して前記第一スクリュー部よりも下流側且つ前記第二スクリュー部よりも上流側に配置された、前記第一連通部に対向している第三スクリュー部と、を有し、前記現像剤排出部は、前記第二方向に関して前記第二スクリュー部よりも下流側に配置されており、前記第一スクリュー部には、前記第二搬送スクリューの回転軸の外周に螺旋状に形成された、前記第二室の前記現像剤を前記第二方向に搬送するための第一羽根部が設けられており、前記第二スクリュー部には、前記第二搬送スクリューの回転軸の外周に螺旋状に形成された、前記第二室の前記現像剤を前記第一方向に搬送し、且つ前記第二室の前記現像剤を前記第一連通部に受け渡すための第二羽根部が設けられており、前記第三スクリュー部には、前記第二搬送スクリューの回転軸の外周に螺旋状に形成された羽根部が設けられていない領域が在る、ことを特徴とする。
また、本発明は、現像装置であって、回転可能に設けられ、トナーとキャリアを含む現像剤を担持して像担持体と対向する現像領域に前記現像剤を搬送する現像剤担持体と、前記現像剤担持体に前記現像剤を供給する第一室と、前記現像領域を通過した前記現像剤を前記現像剤担持体から回収する第二室と、前記現像剤を前記第二室から前記第一室に連通することを許容する第一連通部と、前記現像剤を前記第一室から前記第二室に連通することを許容する第二連通部と、前記第一室に配置され、前記現像剤を前記第一連通部から前記第二連通部に向かう第一方向に搬送する第一搬送スクリューと、前記第二室に配置され、前記現像剤を前記第二連通部から前記第一連通部に向かう第二方向に搬送する第二搬送スクリューと、前記第一室と前記第二室とを仕切るための隔壁部と、前記現像剤を補給するための現像剤補給部と、前記現像剤補給部により前記現像剤が補給されることに伴って前記現像剤の一部を排出するための現像剤排出部と、を備え、前記現像装置が前記像担持体に形成された静電潜像を現像するとき、前記第一搬送スクリューは、前記現像剤担持体の下方に配置されており、且つ、前記第二室の底部は、前記第一室の底部よりも上方に配置されており、前記隔壁部は、前記現像領域を通過した前記現像剤が前記現像剤担持体から前記第一室を経由することなく前記第二室に回収することが可能となるように設けられており、前記第二搬送スクリューは、前記第一連通部に対向している第一スクリュー部と、前記第二方向に関して前記第一スクリュー部よりも下流側に配置された第二スクリュー部と、前記第二方向に関して前記第一スクリュー部よりも下流側且つ前記第二スクリュー部よりも上流側に配置された、前記第二方向に関して前記第一連通部に対向している第三スクリュー部と、を有し、前記現像剤排出部は、前記第二方向に関して前記第二スクリュー部よりも下流側に配置されており、前記第一スクリュー部には、前記第二搬送スクリューの回転軸の外周に螺旋状に形成された、前記第二室の前記現像剤を前記第二方向に搬送するための第一羽根部が設けられており、前記第二スクリュー部には、前記第二搬送スクリューの回転軸の外周に螺旋状に形成された、前記第二室の前記現像剤を前記第一方向に搬送し、且つ前記第二室の前記現像剤を前記第二連通部に受け渡すための第二羽根部が設けられており、前記第三スクリュー部には、前記第二搬送スクリューの回転軸の外周に螺旋状に形成された羽根部が設けられていない領域が在る、ことを特徴とする。
【手続補正３】
【補正対象書類名】明細書
【補正対象項目名】００３８
【補正方法】変更
【補正の内容】
【００３８】
図５から理解できるように、スクリュー断面積が大きくなるにつれて、剤面高さは高くなる。例えばスクリュー断面積が１．２ｃｍ２である場合、剤面高さは１７〜１８ｍｍほどである。スクリュー断面積が１．９ｃｍ２である場合、剤面高さは２０〜２２ｍｍほどである。そして、スクリュー断面積が１．８ｃｍ２を超えると、剤面高さの変化が小さくなる。これからすれば、第二搬送部１４２として２条スクリューを用いる場合、剤面高さの変化が小さくなり始める１．９ｃｍ２のスクリュー断面積の２条スクリューを用いるとよい。